(57)【要約】【課題】ランプとの係合を容易にするよう構成されたリフトタブを有するアームアセンブリを提供する。【解決手段】ディスクドライブ用アームアセンブリである。アームアセンブリは、スライダを支持するための負荷アームを有し、使用していない場合に負荷アームを載置させるためのランプ係合領域を有するリフトタブを有する。このランプ係合領域は、第１の半径と第１の半径とは異なる第２の半径とによって規定される外面を有する。【選択図】図２Ｂ
2014175050.tif 000002
【特許請求の範囲】
【請求項１】
スライダを支持し、リフトタブを含む負荷アームを含み、
リフトタブは、リフトタブの遠位先端から延在するランプ係合領域を有し、ランプ係合領域は、第１の半径と第１の半径とは異なる第２の半径とによって規定される外面を有する、ディスクドライブ用アームアセンブリ。
【請求項２】
外面は、ベーストラフと対向するアームとを有する弓状であり、トラフの少なくとも一区分は第１の半径によって規定され、アームの少なくとも一区分は、第１の半径よりも小さい第２の半径によって規定されている、請求項１に記載のアセンブリ。
【請求項３】
第２の半径は、第１の半径の９０％以下である、請求項２に記載のアセンブリ。
【請求項４】
第２の半径は、第１の半径の７５％以下である、請求項２に記載のアセンブリ。
【請求項５】
第２の半径は、第１の半径よりも少なくとも０．０５ｍｍ小さい、請求項２に記載のアセンブリ。
【請求項６】
第２の半径は、第１の半径よりも少なくとも０．１ｍｍ小さい、請求項２に記載のアセンブリ。
【請求項７】
アームはまっすぐな終端を含む、請求項２に記載のアセンブリ。
【請求項８】
アームの一部は、第１の半径とは異なり、かつ第２の半径とは異なる第３の半径によって規定されている、請求項２に記載のアセンブリ。
【請求項９】
アームの一部は、徐々に変化する半径によって規定されている、請求項２に記載のアセンブリ。
【請求項１０】
スライダを支持し、リフトタブを含む負荷アームを含み、
リフトタブは遠位先端と負荷アームとの間の長さを有し、リフトタブは、第１の半径を有するベーストラフと第１の半径よりも小さい第２の半径を有するアームとを規定する連続断面形状を有する外面を有するランプ係合領域を有し、断面はリフトタブの長さに直交して取られている、ディスクドライブ用アームアセンブリ。
【請求項１１】
リフトタブは、負荷アームから遠位に延在している、請求項１０に記載のアセンブリ。
【請求項１２】
第２の半径は、第１の半径の９０％以下である、請求項１０に記載のアセンブリ。
【請求項１３】
第２の半径は、第１の半径の７５％以下である、請求項１０に記載のアセンブリ。
【請求項１４】
第２の半径は、第１の半径よりも少なくとも０．０５ｍｍ小さい、請求項１０に記載のアセンブリ。
【請求項１５】
第２の半径は、第１の半径よりも少なくとも０．１ｍｍ小さい、請求項１０に記載のアセンブリ。
【請求項１６】
第１の半径は０．０７５ｍｍ〜０．５ｍｍであり、第２の半径は０．０５ｍｍ〜０．５ｍｍである、請求項１０に記載のアセンブリ。
【請求項１７】
アームは、第２の半径と、第２の半径とは異なる第３の半径とによって規定されている、請求項１０に記載のアセンブリ。
【請求項１８】
アームは、第２の半径によって規定されており、まっすぐな終端を有する、請求項１０に記載のアセンブリ。
【請求項１９】
アームの一部は、徐々に変化する半径によって規定されている、請求項１０に記載のアセンブリ。
【請求項２０】
ディスクと、
スライダを支持し、リフトタブを含むアームアセンブリと、
載置ランプとを含み、
リフトタブは、第１の半径と第１の半径とは異なる第２の半径とによって規定される外面を有するランプ係合領域を有する、ディスクドライブ。
【発明の詳細な説明】
【背景技術】
【０００１】
背景
ハードディスクドライブシステム（ＨＤＤ）は通常、１つ以上のデータ記憶ディスクを含む。ディスク上のデータトラックからの読出およびデータトラックへの書込のために、スライダによって搬送されるトランスデューサヘッドが使用される。スライダは、アクチュエータアームとサスペンションアセンブリとを含むアームアセンブリによって搬送される。ディスクドライブが非動作状態にある場合、典型的にはディスクドライブへの電力がオフにされている場合、アームアセンブリは、近くのランプ上への移動により、スライダをディスクとの係合からアンロードする。
【発明の概要】
【発明が解決しようとする課題】
【０００２】
概要
この開示は、ランプとの係合を容易にするよう構成されたリフトタブを有するアームアセンブリを提供する。
【課題を解決するための手段】
【０００３】
この開示のある特定の実施例は、ディスクドライブ用アームアセンブリであり、アームアセンブリは、スライダを支持し、リフトタブを有するための負荷アームを有する。リフトタブは、ひいては、第１の半径と第１の半径とは異なる第２の半径とによって規定される外面を有するランプ係合領域を有する。
【０００４】
この開示の別の特定の実施例は、ディスクドライブ用アームアセンブリであり、アームは、スライダを支持し、リフトタブを有する負荷アームを有し、リフトタブはその遠位先端と負荷アームとの間の長さを有する。リフトタブは、連続断面形状を有する外面を有するランプ係合領域を有し、その形状は、リフトタブの長さに直交して取られた場合、第１の半径を有するベーストラフと第２の半径を有するアームとを規定する。第２の半径は第１の半径よりも小さい。
【０００５】
この開示の別の特定の実施例は、ディスクドライブである。ディスクドライブは、ディスクと、スライダを支持し、リフトタブを有するアームアセンブリと、載置ランプとを含む。リフトタブは、第１の半径と第１の半径とは異なる第２の半径とによって規定される外面を有するランプ係合領域を有する。
【０００６】
これらのならびに他のさまざまな特徴および利点は、以下の詳細な説明を読むことにより明らかとなるであろう。
【０００７】
図面の簡単な説明
この開示は、この開示のさまざまな実施例の詳細な説明を添付図面とともに検討することによって、より完全に理解されるであろう。
【図面の簡単な説明】
【０００８】
【図１】磁気記録ディスクドライブおよびアームアセンブリの側断面図である。
【図２Ａ】図１の磁気記録ディスクドライブおよびアームアセンブリの上面図である。
【図２Ｂ】図１の磁気記録ディスクドライブおよびアームアセンブリの上面図である。
【図３Ａ】アームアセンブリのアームの一部の斜視図である。
【図３Ｂ】アームの一部の側面図である。
【図３Ｃ】図３Ｂの線Ｃ−Ｃに沿って取られた断面図である。
【図４】この開示に従ったアームアセンブリのランプ係合区分の一実施例の概略端面図である。
【図５】この開示に従ったアームアセンブリのランプ係合区分の別の実施例の概略端面図である。
【図６】この開示に従ったアームアセンブリのランプ係合区分の別の実施例の概略端面図である。
【図７】この開示に従ったアームアセンブリのランプ係合区分のさらに別の実施例の概略端面図である。
【図８】ランプと衝突するアームアセンブリのランプ係合区分の概略端面である。
【発明を実施するための形態】
【０００９】
詳細な説明
本実施例は、最も一般的にはディスクドライブ用アームアセンブリに関し、特に、ディスクドライブが使用されていない場合にアームアセンブリと係合してアームアセンブリをランプ上に載置させるよう構成された、リフトタブのランプ係合区分に関する。
【００１０】
以下の説明では、本明細書の一部を形成し、少なくとも１つの特定の実施例を例示によって示す添付図面を参照する。以下の説明は、追加の特定の実施例を提供する。この開示の範囲または精神から逸脱することなく、他の実施例が考えられ、作成されてもよいということが理解されるべきである。したがって、以下の詳細な説明は、限定的な意味で解釈されるべきではない。本開示はそのように限定されていないため、以下に提供する例の説明を通して、この開示のさまざまな局面の理解が得られるであろう。
【００１１】
別段の指示がない限り、構成サイズ、量、および物理的特性を表わすすべての数字は、「約」という用語によって修正されるとして理解されるべきである。したがって、反対の指示がない限り、記載された数値パラメータは、ここに開示される教示を利用する当業者によって得られることが求められる所望の特性に依存して変わり得る近似値である。
【００１２】
ここに使用されているように、内容が明らかに他の意味を示していない限り、単数形は、複数の指示対象を有する実施例を包含する。本明細書および添付の請求項で使用されているように、内容が明らかに他の意味を示していない限り、「または」という用語は概して、「および／または」を含む意味で採用される。
【００１３】
図１、図２Ａ、および図２Ｂを参照すると、一般的な磁気記録ディスクドライブが例示されており、駆動モータ４に取付けられたハブ６を用いて駆動モータ４によって回転される磁気記録ディスク２を有している。読出／書込ヘッドまたはトランスデューサ８が、スライダ１０の後端または後面９上に存在している。スライダ１０は、サスペンション要素１６を含むアームアセンブリ１４によってアクチュエータ１２に接続されている。サスペンション要素１６は、スライダ１０をディスク２の表面に向けて圧迫する付勢力を提供する。サスペンション要素１６は、図面には示されていないジンバル、ジンバルリミッタ、および他の要素といったさまざまな他の構成を含む。
【００１４】
図２Ａに示すディスクドライブの動作時には、駆動モータ４はディスク２を一定の速度で矢印１８の方向に回転させ、典型的には線形または回転運動コイルモータであるアクチュエータ１２は、読出／書込ヘッド８がディスク２上の異なるデータトラックにアクセスするように、スライダ１０をディスク２の表面の平面を横切って概して径方向に駆動する。図２Ｂに示すディスクドライブの非動作の準備の際、アームアセンブリ１４は移動（たとえば枢動）して、ディスク２からスライダ１０を係合解除し、それ自体をランプ１９の上に載置させる。載置されると、アームアセンブリ１４の一部は、ランプ１９の載置面上に物理的に置かれる。
【００１５】
図３Ａおよび図３Ｂは、近位端２２と反対の遠位端２４とを有する負荷ビームまたは負荷アーム２０を有するアームアセンブリ設計を示す。負荷アーム２０は、アーム２０の近位端２２から遠位端２４に向かって延在するレール２６によって囲まれた細長い中央平面２５を有する。レール２６は負荷ビーム２０の上面上にあるものとして例示されているが、他の実施例では、レール２６は、存在する場合、アーム２０の底面上に存在していてもよい。レール２６は、横方向補強および曲げ補強を提供し、アーム２０に対するねじれ抵抗を増加させる。また、中央平面２５を形成する材料（たとえば、ステンレス鋼）を折るか曲げることによって形成されることが多い。アーム２０は、ランプ係合領域３０を有するリフトタブ２８を含み、ランプ係合領域３０は、ディスクドライブが非動作状態にある場合、およびパワーダウン動作中のディスク減速時に、ランプ（図２Ａおよび図２Ｂのランプ１９）の載置面と係合するよう構成されている。ランプ係合領域３０は、図３Ａおよび図３Ｂでは遠位端２４であるリフトタブ２８の遠位先端から１．５ｍｍ以下延在している。いくつかの実施例では、ランプ係合領域３０は、遠位先端から１ｍｍ以下延在している。
【００１６】
図３Ｃは、ランプ係合領域３０におけるリフトタブ２８の断面を示す。ランプ係合領域３０は弓状の外面を有しており、それはリフトタブ２８のランプ１９との係合を容易にする。図３Ｃに例示するリフトタブ２８の実施例は、中央ベースまたはトラフ部３２と、トラフ部３２の片側に１つずつある２つの遠位端またはアーム３４Ａ、３４Ｂを有する。例示された実施例では、アーム３４Ａ、３４Ｂの長さは等しいものの、代替的な実施例では、アーム３４Ａ、３４Ｂは異なる長さを有していてもよい。多くの実施例では、ベースまたはトラフ部３２はトラフ形状の３０〜８０％を占めており、アーム３４Ａ、３４Ｂはトラフ形状の２０〜７０％を占めている。
【００１７】
アーム３４Ａ、３４Ｂは端面３６で終わっており、アーム３４Ａ、３４Ｂの外面と端面３６との交差によって前縁８が規定されている。リフトタブ２８がランプ１９の表面と係合するにつれて、ランプ係合領域３０の外面はランプ１９の表面と係合し、その上を摺動する。ディスクドライブにおけるディスク２の数が増加するにつれて、各ディスク２およびアームアセンブリ１４に割り当てられる空間が減少し、ひいてはより薄いランプ１９および／または高さがより低いリフトタブ２８が要求される。アームアセンブリ１４がディスクから外れた状態でランプ１９上に載置された場合、リフトタブ２８は、次の隣接する表面（たとえば、隣接するディスク２、ドライブカバー、または別のアームアセンブリ１４）に最も近いアセンブリ１４の部分であることが多いアセンブリ１４の部分である。
【００１８】
図３Ａ、図３Ｂ、および図３Ｃのリフトタブ２８は、負荷アーム２０の遠位端に位置付けられている。代替的な実施例では、リフトタブはアーム２０の遠位端近傍の位置に存在していてもよく、たとえば、米国特許第６，６１１，４０２号の図２を参照されたい。この開示の構成は遠位リフトタブおよび非遠位リフトタブに適用可能である、ということが理解されるべきである。
【００１９】
この開示では、少なくとも２つの異なる半径によって規定される湾曲を有するランプ係合領域３０を有するアームアセンブリが提供されている。リフトタブ２８の全体的高さが維持されるようにリフトタブ２８の弓状の外面を形成するために２つ以上の異なる半径を利用することにより、リフトタブ２８の剛性が増加して、負荷ビーム２０およびスライダ１０のねじれおよびたるみの可能性を減少させる。また、端面３６（図３Ｃ）はトラフ部３２とより平行になり、それもリフトタブ２８の剛性を増加させる。リフトタブ２８の端またはアーム３４Ａ、３４Ｂをトラフ部３２よりも狭い半径で形成することにより、リフトタブ２８の剛性が増加するだけでなく、リフトタブが要望どおり湾曲部でランプ１９に接触する誤差範囲も増加し、前縁３８がランプ１９に接触する（ひいては、擦り傷、破片または粒子を作り出すか、またはランプ１９上へのアンロードがうまくいかない）可能性が減少する。これらの特徴は、あらゆるアームアセンブリ１４にとって、特に複数のディスク２を有するディスクドライブにとって有益である。なぜなら、これらの特徴は、背中合わせのディスクにより良好な隙間も提供するからである。加えて、単一半径の比較用構造に比べ、同様のリフトタブ剛性を維持しつつリフトタブ２８の全体的高さを減少させることができ、内部のディスクヘッド間の隙間をより狭くすることを容易にする。
【００２０】
いくつかの実施例では、第１の半径は０．０７５ｍｍ〜０．５ｍｍの範囲内にあり、第２の半径は０．０５ｍｍ〜０．５ｍｍの範囲内にあるが、製造手法ならびに全体的なディスクドライブ構成および構造に依存して、より大きいおよび／またはより小さい半径を使用してもよい。いくつかの実施例では、ランプ係合領域３０の湾曲を規定するために、３つ、さらには４つの異なる半径を使用してもよい。加えて、または代替的に、ランプ係合領域３０の一部を、徐々に変化する半径によって規定してもよい。そのような領域は各々別個の半径を有する区分へと分割されないが、常に変化する形状を有するであろう。
【００２１】
少なくとも２つの半径の差は少なくとも０．０５ｍｍであり、いくつかの実施例では少なくとも０．１ｍｍである。０．１５ｍｍ、０．２ｍｍ、および０．３ｍｍなどのより大きい差も好適である。概して、狭いほうの半径は、大きいほうの半径の９０％以下（すなわち、≦大きいほうの半径の９０％）であり、いくつかの実施例では、７５％以下である。いくつかの実施例では、狭いほうの半径は、大きいほうの半径の５０％以下である。例として、０．０７５ｍｍという狭いほうの半径は、０．２５ｍｍという大きいほうの半径の３０％であり、０．２５ｍｍという狭いほうの半径は、０．５ｍｍという大きいほうの半径の５０％であり、０．０５ｍｍという狭いほうの半径は、０．１５ｍｍという大きいほうの半径の３３％であり、０．０５ｍｍという狭いほうの半径は、０．３５ｍｍという大きいほうの半径の１４％であり、０．１５ｍｍという狭いほうの半径は、０．３５ｍｍという大きいほうの半径の４３％である。狭いほうの波形をトラフ３２用に、またはアーム３４Ａ、３４Ｂを形成するために使用してもよいが、狭いほうの半径をアーム３４Ａ、３４Ｂ用を有することがより典型的である。
【００２２】
図４〜図７は、少なくとも２つの異なる半径によって規定される湾曲を有するリフトタブのランプ係合領域の断面の４つの特定の非限定的な例を示す。図４〜図７の各々には、単一の半径によって規定される一定の湾曲を有する比較用のランプ係合領域の断面も含まれている。各図面では、ランプ係合領域はランプ１９と係合するよう例示されている。
【００２３】
図４では、ランプ係合構造４０は、トラフ部４２と、対向するアーム４４Ａ、４４Ｂと、前縁４５とを有する。構造４０の外面４６は２つの異なる半径によって規定されており、半径はトラフ部４２とアーム４４Ａ、４４Ｂとの間の移行部で変化している。トラフ部４２は、構造４０の長さＸの約６０〜７０％を占めている。図４には、単一の曲率半径を利用する比較用の従来の構造１４０も、構造４０の上に重ねられて例示されている。
【００２４】
特定の一例として、０．２３２４ｍｍという長さＸを有するトラフ部４２の外面４６は０．２５００ｍｍという半径ＲBによって規定され、アーム４４Ａ、４４Ｂは０．０７５０ｍｍという半径ＲAを有する。比較用構造１４０全体は、０．２５００ｍｍという単一の半径によって規定されている。構造４０および比較用構造１４０双方の厚さＴは、０．０３００ｍｍである。アーム４４Ａ、４４Ｂの半径ＲAを増加させることにより、構造１４０と比べた構造４０の全体的高さＨは０．０８７１ｍｍのまま変わらないが、比較用構造１４０と比べた構造４０の全体的長さＬは０．３３６１ｍｍから０．３１０２ｍｍへと減少しており、前縁４５の位置は０．０１７０ｍｍという高さｈだけ上昇している。
【００２５】
図５では、ランプ係合構造５０は、トラフ部５２と、対向するアーム５４Ａ、５４Ｂと、前縁５５とを有する。構造５０の外面５６は２つの異なる半径によって規定されており、半径はトラフ部５２とアーム５４Ａ、５４Ｂとの間の移行部で変化している。トラフ部５２は、構造５０の長さＸの約５０％を占めている。図５には、比較用構造１５０も、構造５０の上に重ねられて例示されている。
【００２６】
特定の一例として、０．３０５２ｍｍという長さＬを有するトラフ部５２の外面５６は０．５０００ｍｍという半径ＲBによって規定され、アーム５４Ａ、５４Ｂは０．２５００ｍｍという半径ＲAを有する。比較用構造１５０全体は、０．５０００ｍｍという単一の半径によって規定されている。構造５０および比較用構造１５０双方の厚さＴは、０．１０００ｍｍである。アーム５４Ａ、５４Ｂの半径ＲAを増加させることにより、構造１５０と比べた構造５０の全体的高さＨは０．２６１９ｍｍのまま変わらないが、比較用構造１５０と比べた構造５０の全体的長さＬは０．８０３６ｍｍから０．６５２６ｍｍへと減少しており、前縁５５の位置は０．０５９５ｍｍという高さｈだけ上昇している。
【００２７】
図６では、ランプ係合構造６０は、トラフ部６２と、対向するアーム６４Ａ、６４Ｂと、前縁６５とを有する。構造６０の外面６６は３つの異なる半径によって規定されている。トラフ部６２は、構造６０の長さの約７０％を占めている。図６には、比較用構造１６０も、構造６０の上に重ねられて例示されている。
【００２８】
特定の一例として、０．２８２７ｍｍという長さＸ１を有するトラフ部６２の外面６６は０．３５００ｍｍという半径ＲBによって規定され、アーム６４Ａ、６４Ｂは、０．０５２６５ｍｍという距離Ｘ２については０．１５００ｍｍという半径ＲA１を有し、次に０．０５００という半径ＲA２を有する遠位端部へと移行している。比較用構造１６０全体は、０．３５００ｍｍという単一の半径によって規定されている。構造６０および比較用構造１６０双方の厚さＴは、０．０２００ｍｍである。アーム６４Ａ、６４Ｂの半径を２回増加させることにより、構造１６０と比べた構造６０の全体的高さＨは０．１０１８ｍｍのまま変わらないが、比較用構造１６０と比べた構造６０の全体的長さＬは０．４６１３ｍｍから０．４１３１ｍｍへと減少しており、前縁６５の位置は０．０１５０ｍｍという高さｈだけ上昇している。
【００２９】
図７では、ランプ係合構造７０は、トラフ部７２と、対向するアーム７４Ａ、７４Ｂと、前縁７５とを有する。構造７０の外面７６は少なくとも２つの異なる半径によって規定されており、半径はトラフ部７２とアーム７４Ａ、７４Ｂとの間の移行部で変化している。トラフ部７２は、構造７０の長さの約７０％を占めている。図７には、比較用構造１７０も、構造７０の上に重ねられて例示されている。
【００３０】
特定の一例として、０．２３２７ｍｍという長さＸ１を有するトラフ部７２の外面７６は、０．２５００ｍｍという半径ＲBによって規定されている。アーム７４Ａ、７４Ｂは、０．０３６３ｍｍという距離については０．０７５０ｍｍという半径ＲAを有し、次に０．０４８５ｍｍという長さＤについてはまっすぐな（すなわち、湾曲がない）遠位端へと移行している。このため、構造７０は、弓状の０．３０５３ｍｍという中央長さＸ２を有する。これに対し、比較用構造１７０全体は、０．２５００ｍｍという半径によって規定されている。構造７０および比較用構造１７０双方の厚さＴは、０．０３００ｍｍである。０．０８７１ｍｍという比較用構造１７０の高さと比べ、増加した半径のアーム７４Ａ、７４Ｂおよびまっすぐな遠位端により、構造７０の全体的高さＨは０．１２７０ｍｍである。前縁７５の位置は０．０５２７ｍｍという高さｈだけ上昇している。構造７０、１７０の全体的幅は同じである。狭いほうの半径ＲＡは、単一半径の従来の構造では同じ区域（たとえば、長さ）に生成できなかったであろう垂直に剛性の構造を生成する。
【００３１】
上述の特定の非限定的な例のうちの３つ（すなわち、図４、図５、図６のリフトタブ構造４０、５０および６０それぞれ）は、リフトタブの縁で半径を減少させる（すなわち、狭くする）ことにより、リフトタブ構造の全体的高さを増加させることなく、構造の前縁の高さが増加し、リフトタブ縁の接線角度が増加する、ということを実証している。増加した縁高さは、縁がランプ表面と衝突して粒子または他の破片を作り出す可能性を減少させる。図８は、そのベーストラフよりも狭い半径によって形成されたアームを有するランプ係合構造８０と、単一の曲率半径を有する比較用構造１８０とを例示する。構造８０の前縁８５は、構造８０の２つの曲率半径のため、比較用構造１８０の前縁１８５よりも高い。図８に例示するように、アームアセンブリがランプ１９上のその載置位置へと動かされると、より低い前縁１８５は、前縁８５よりも、ランプ１９と衝突しやすい。加えて、上述の特定の非限定的な例の各々（すなわち、構造４０、５０、６０、７０）は、リフトタブ構造とランプとの間により大きい角度を形成し、リフトタブとランプとの間により大きい隙間を提供する。前縁がランプにより近くなるようにリフトタブ構造をランプ縁に対して回転させる必要がある場合、提案されたリフトタブ形状は、前縁がランプに接触し始める前のより大きい回転を許容し得る。
【００３２】
このように、リフトタブを有するアームアセンブリの多くの実施例が開示されている。上述の実現化例および他の実現化例は、特許請求の範囲内にある。この発明は開示されたもの以外の実施例で実践可能であるということを、当業者であれば理解するであろう。開示された実施例は限定のためではなく例示のためにのみ提示されており、この発明は請求項によってのみ限定される。
【符号の説明】
【００３３】
２：ディスク、１０：スライダ、１４：アームアセンブリ、１９：ランプ、２０：負荷アーム、２８：リフトタブ、３０：ランプ係合領域。
【図１】
2014175050.tif 000003
【図２Ａ】
2014175050.tif 000004
【図２Ｂ】
2014175050.tif 000005
【図３Ａ】
2014175050.tif 000006
【図３Ｂ】
2014175050.tif 000007
【図３Ｃ】
2014175050.tif 000008
【図４】
2014175050.tif 000009
【図５】
2014175050.tif 000010
【図６】
2014175050.tif 000011
【図７】
2014175050.tif 000012
【図８】
2014175050.tif 000013